(57)【要約】
【課題】ペット用の発光する紐を提供することを課題とする。
【解決手段】発光首輪１、或いは発光リーダー２を構成する索体１０と２つのランプケース３０、３０aと電池ケース４０と周辺部品５０によりなる。索体１０は、外層を複数の適度な長さの光ファイバーにより構成し、屈曲性を持つ中空管を内層の中心としてより合わせる。ランプケース３０、３０aは、索体１０の両端にそれぞれ連結し、ランプケース３０、３０a内にはＬＥＤ３１を設ける。電池ケース４０を、片方のランプケース３０に設置し、電線４１を索体１０内の中空管１２に通すことにより、電池ケース４０からの電源をもう一方のランプケース３０aに送り、該ランプケース３０a内のＬＥＤ３１を発光させる。
　【選択図】　　図１
0003099625.tif 000002
【実用新案登録請求の範囲】
【請求項１】
　発光首輪、或いは発光リーダーを含み、
　それぞれ主に索体と２つのランプケースと電池ケースと部品により構成されており、
　上記索体は、外層が複数の適度な長さの光ファイバーにより作られており、該光ファイバーは屈曲性を持つ中空管を内層の中心としてより合わされており、索体の両端にはより合わされた索体が緩むことはないようそれぞれクリップヘッドが設置されており、
　上記ランプケースは、索体の両端にそれぞれ連結されており、ランプケース内にはＬＥＤが設けられており、ＬＥＤの光は、光ファイバーの断面から光ファイバー内に入り、
　上記電池ケースは、片方のランプケースだけに設置されており、電線を索体内の中空管に通すことにより、電池ケースからの電源をもう一方のランプケースに送り、該ランプケース内のＬＥＤを発光させることができ、
　上記構造により、
一つの電池ケースのみで索体の両端のＬＥＤを同時に発光させることができ、それにより索体上の光ファイバーの明るさを増強させることを特徴とするペット用の発光する紐の構造。
【請求項２】
上記ランプケース内のＬＥＤは１つ或いは１つ以上であることを特徴とする請求項１記載のペット用の発光する紐の構造。
【請求項３】
　上記電池ケース或いはランプケース上にはスイッチが設けられており、それによりＬＥＤの操作ができることを特徴とする請求項１記載のペット用の発光する紐の構造。
【請求項４】
　複数の光ファイバーと中空管のより合わせの方式は、必ず中空管を中心に光ファイバーが索体の外層表面を形成する方式であることを特徴とする請求項１記載のペット用の発光する紐の構造。
【考案の詳細な説明】
【技術分野】
【０００１】
本考案はペット用の発光する紐の構造に係り、特に複数の光ファイバーを中空管を中心にしてより合わせた索体が形成され、電線を索体の中空管に通すことにより一つの電池ケースで索体の両端のＬＥＤを同時に発光でき、索体の光ファイバーの両端面に光を当てることができ、それにより夜間に使用した時、自分とペットの存在をより明瞭に示すことが可能なペット用の発光する紐の構造に関わる。
【背景技術】
【０００２】
従来の光ファイバーを使用した製品においては、その屈曲性、耐久性、量産性やコストの面から様々な用途に利用されており、光ファイバーの光伝送作用を利用した、目視或いは監視用の照明装置や、光ファイバーの周囲の被覆層の一部分に傷を入れ、そこから光を出すことにより、物や階段の照明や装飾に利用した物や、
【特許文献１】中華民国公告番号３４８２２１「連続点状発光する光ファイバー」（文献番号８６１０１４３７号）のような特許文献もある。
【考案の開示】
【考案が解決しようとする課題】
【０００３】
しかしながら、以上の従来技術によれば、光ファイバーによる発光装置を使用する時、光源装置を用いる方式が取られており、該光源装置は、ランプとカラーフィルターと該カラーフィルターを回転させるモーターとレンズによって構成されており、電源は一般に外部電源を用いているためコストが比較的高くなり、特に光源装置の容積、重量は大きく、使用時には台座の上に置いて使用しなければならず、光源装置と光ファイバーの距離も長くなり、装置全体の外観を損ねるだけでなく、利便性にも影響を与える。従って、従来の技術によりペット用の発光する紐を製造することは不可能であった。
そこで本考案は、上記欠点を解決すべく、主に索体と２つのランプケースと電池ケースと部品により構成されるペット用の発光する紐の構造を提供することを課題とする。
【課題を解決するための手段】
【０００４】
上記課題を解決するために、本考案のペット用の発光する紐の構造は、
　発光首輪、或いは発光リーダーを含み、
　それぞれ主に索体により構成されており、該索体は、外層が複数の光ファイバーにより作られており、該光ファイバーは中空管を内層の中心としてより合わされている。
　索体の両端にはそれぞれランプケースが設けられており、ランプケース内には光源としてＬＥＤが設けられており、ＬＥＤの光は光ファイバーの断面から光ファイバー内に入る。
　索体の一方のランプケースには電池ケースが設けられており、索体の中の中空管に電線を通すことにより、電池ケースからの電源をもう一方のランプケースに送り、該ランプケース内のＬＥＤをもう一つのＬＥＤと同時に発光させることができ、それにより索体の光ファイバーの明るさを増強させることができ、夜間に使用した時、自分とペットの存在をより明瞭に示すことが可能なだけではなく、装飾品としてそれを引き立てる等の効果も持つ。
【考案の効果】
【０００５】
　本考案によれば、１つの電池ケースからの電源を使用する設計にすることで発光首輪、或いは発光リーダーの発光構造を簡略化でき、索体の両端のＬＥＤを同時に発光させることで光ファイバーの明るさを増強させることができ、発光首輪と発光リーダーは、単独での使用も、連結させての使用も共に可能で、夜間に使用した時、自分とペットの存在をより明瞭に示すことが可能なだけではなく、装飾品としてそれを引き立てる等の効果が得られる。
【考案を実施するための最良の形態】
【０００６】
　本考案の実施例を図に沿って説明する。
　図１に示すように、本考案は発光首輪１と発光リーダー２の２部分に分かれており、それぞれ索体１０、クリップヘッド２０、２つのランプケース３０、電池ケース４０、部品５０により構成されている。
【０００７】
上記索体１０は、外層が複数の光ファイバー１１により作られており（図２）、該光ファイバー１１は屈曲性を持つ中空管１２を内層の中心としてより合わされており、索体１０の表面は複数の光ファイバー１１によって包囲されており、光ファイバー１１は硬度と屈曲性を持つので索体１0の表面を保護する作用を持ち、ぶつかったり、ペットに噛まれたりすることに対し耐久性を持つ。
【０００８】
索体１０の両端にはそれぞれクリップヘッド２０が設置されており、より合わされた索体１０が緩むことはなく、それぞれのクリップヘッド２０はランプケース３０、３０ａと連結している。
【０００９】
各ランプボックス３０、３０a内にはそれぞれＬＥＤ３１が設けられており、ＬＥＤ３１の光は光ファイバー１１両端の断面１３から光ファイバー１１内に入り、それにより光ファイバー１１が発光する。
【００１０】
２つのランプケース３０、３０aの内、片方のランプケース３０には電池ケース４０が設けられており、該電池ケース４０からの電源はランプケース３０内のＬＥＤ３１を発光させるだけでなく、中空管１２内に通された電線４１を通り、もう一つのランプケース３０a内のＬＥＤ３１も発光させる。
【００１１】
　上述の両ランプケース３０、３０a或いは、電池ケース４０の形状に制限はなく、各構成部品においても必要に応じて調整可能で、発光首輪１と発光リーダー２は、単独での使用も、連結させての使用も共に適している。
【００１２】
図３、８に示すように、索体１０内における、複数の光ファイバー１１を中空管１２を中心としてより合わせる方式には制限がなく、先に複数の光ファイバー１１の各２本をより合わせ、双索体１４にし、その後屈曲性を持つ中空管１２を内層の中心としてより合わせ、索体１０の表面は複数の光ファイバー１１によって包囲され、光ファイバー１１は硬度と屈曲性を持つので索体１0の表面を保護する作用を持ち、ぶつかったり、ペットに噛まれたりすることに対し耐久性を持つ。
【００１３】
電池ケース４０上、或いはランプケース３０、３０a上にはスイッチ４２が設けられており、電池ケース４０からの電源を操作することができる。
【００１４】
ランプケース３０、３０a内に設けられたＬＥＤ３１は１つ、或いは１つ以上で、ＬＥＤ３１の色に制限はなく、更に公知技術を用いて２つのＬＥＤ３１を同時に点滅させたり、交互に点滅させたり、様々な効果が選択できる。
【００１５】
　部品５０は、首輪、或いはリーダー上の装置を指し、全体の長さを調整する長さ調整部５１や首輪やリーダー間の連結に使用する連結リング５２や手持ち部５３を含むが、それらは自由に設計可能な公知構造による物である。
【図面の簡単な説明】
【００１６】
【図１】本考案における構造を示した立体図である。
【図２】本考案における索体部分の局部拡大図である。
【図３】図２の索体部分におけるもう一つの方式の構造を示した局部拡大図である。
【図４】図２における索体部分の断面図である。
【図５】本考案における発光首輪の構造を示した側面図である。
【図６】図５における発光首輪の構造を示したもう一つの側面図である。
【図７】図２における索体部分の側面図である。
【図８】図３における索体部分の側面図である。
【図９】本考案における輪にした状態を示した立体図である。
【図１０】本考案における使用状態を示した立体図である。
【符号の説明】
【００１７】
１　　　発光首輪
２　　　発光リーダー
１０　　索体
１１　　光ファイバー
１２　　中空管
１３　　断面
１４　　双索体
２０　　クリップヘッド
３０　　ランプケース
３０a   ランプケース
３１　　ＬＥＤ
４０　　電池ケース
４１　　電線
４２　　スイッチ
５０　　部品
５１　　長さ調整部
５２　　連結リング
５３　　手持ち部
【図１】
0003099625.tif 000003
【図２】
0003099625.tif 000004
【図３】
0003099625.tif 000005
【図４】
0003099625.tif 000006
【図５】
0003099625.tif 000007
【図６】
0003099625.tif 000008
【図７】
0003099625.tif 000009
【図８】
0003099625.tif 000010
【図９】
0003099625.tif 000011
【図１０】
0003099625.tif 000012